(57)【要約】【課題】ＨＤラジオ放送波におけるデジタル変調信号に起因するサーチの誤停止を防止することができるラジオ受信機を提供する。【解決手段】Ｓメータ検出器８でＩＦ信号の電界強度を検出し、ＩＦカウンタ検出器９でＩＦ信号の周波数を検出する。また、ＩＦ信号の検波信号のうち所定の周波数帯域の信号を通過させるバンドパスフィルタ１１を通過した信号の強度をパワー検出器１２で検出する。制御器１０は、Ｓメータ検出器８で検出した電界強度とＩＦカウンタ検出器９で検出した周波数とパワー検出器１２検出した信号強度とに基づいて、希望局の放送周波数の信号を受信しているかどうかを判断する。【選択図】図１
2007259403.tif 000002
【特許請求の範囲】
【請求項１】
希望局の放送信号をサーチして受信するラジオ受信機であって、
放送信号を受信して受信信号を生成する受信手段と、
前記受信信号と高周波信号とを混合して中間周波数信号を生成する変換手段と、
この変換手段で生成された前記中間周波数信号の電界強度を検出する電界強度検出手段と、
前記変換手段で生成された前記中間周波数信号の周波数を検出する周波数検出手段と、
前記変換手段で生成された前記中間周波数信号を検波して検波信号を生成する検波手段と、
この検波手段で生成された前記検波信号のうち所定の周波数帯域の信号を通過させるバンドパスフィルタと、
このバンドパスフィルタを通過した信号の強度を検出する信号強度検出手段と、
前記電界強度検出手段で検出した電界強度が所定の電界強度より大きく、かつ前記周波数検出手段で検出した周波数が所定の周波数範囲内であり、かつ前記信号強度検出手段で検出した信号強度が所定の信号強度より小さいとき、前記受信手段で受信している信号に前記希望局の放送信号が含まれると判断してサーチを停止し、前記電界強度検出手段で検出した電界強度が前記所定の電界強度以下のとき、または前記周波数検出手段で検出した周波数が所定の前記周波数範囲外のとき、または前記信号強度検出手段で検出した信号強度が前記所定の信号強度以上のときは、前記受信手段で受信している信号に前記希望局の放送信号が含まれないと判断して前記変換手段で混合される高周波信号の周波数を変更することによりサーチを継続するように制御する制御手段と
を備えることを特徴とするラジオ受信機。
【請求項２】
ＨＤラジオ放送信号およびアナログラジオ放送信号から希望局の放送信号をサーチして受信するラジオ受信機であって、
放送信号を受信して受信信号を生成する受信手段と、
前記受信信号と高周波信号とを混合して中間周波数信号を生成する変換手段と、
この変換手段で生成された前記中間周波数信号の電界強度を検出する電界強度検出手段と、
前記変換手段で生成された前記中間周波数信号の周波数を検出する周波数検出手段と、
前記変換手段で生成された前記中間周波数信号を検波して検波信号を生成する検波手段と、
この検波手段で生成された前記検波信号のうち所定の第１の周波数帯域の信号を通過させる第１のバンドパスフィルタと、
前記検波手段で生成された前記検波信号のうち、前記第１の周波数帯域よりも高い第２の周波数帯域の信号を通過させる第２のバンドパスフィルタと、
前記第１のバンドパスフィルタを通過した信号の強度と、前記第２のバンドパスフィルタを通過した信号の強度とを検出する信号強度検出手段と、
前記電界強度検出手段で検出した電界強度と、前記周波数検出手段で検出した周波数と、前記信号強度検出手段で検出した信号強度とに基づいて、前記受信手段で受信している信号に前記希望局の放送信号が含まれるかどうかを判断し、前記希望局の放送信号が含まれると判断したときはサーチを停止し、前記希望局の放送信号が含まれないと判断したときは前記変換手段で混合される高周波信号の周波数を変更することによりサーチを継続するように制御する制御手段とを備え、
前記制御手段は、前記希望局がＨＤラジオ放送局である場合、前記電界強度検出手段で検出した電界強度が所定の電界強度より大きく、かつ前記周波数検出手段で検出した周波数が所定の周波数範囲内であり、かつ前記第１のバンドパスフィルタを通過した信号の強度が所定の第１の信号強度より小さく、かつ前記第２のバンドパスフィルタを通過した信号の強度が所定の第２の信号強度より大きいとき、前記受信手段で受信している信号に前記希望局の放送信号が含まれると判断し、前記希望局がアナログラジオ放送局である場合、前記電界強度検出手段で検出した電界強度が前記所定の電界強度より大きく、かつ前記周波数検出手段で検出した周波数が前記所定の周波数範囲内であり、かつ前記第１のバンドパスフィルタを通過した信号の強度が前記所定の第１の信号強度より小さく、かつ前記第２のバンドパスフィルタを通過した信号の強度が前記所定の第２の信号強度以下のとき、前記受信手段で受信している信号に前記希望局の放送信号が含まれると判断することを特徴とするラジオ受信機。
【発明の詳細な説明】
【技術分野】
【０００１】
本発明は、ラジオ放送を受信するラジオ受信機に関する。
【背景技術】
【０００２】
従来のＡＭアナログラジオ放送を受信するラジオ受信機を、図１１を参照して説明する。図１１において、アンテナ１に受信されたＡＭ放送信号は、ＲＦ（ラジオ周波）アンプ２で増幅され、混合器３で局部発信器４の出力信号と混合されてＩＦ（中間周波）信号に変換される。このＩＦ信号は、ＩＦアンプ６で増幅された後、ＩＦ検波器７で検波され、検波信号がオーディオセレクタ等に出力される。
【０００３】
このラジオ受信機で希望局のサーチを行う場合、制御器１０は外部から入力される選局指示に応じてＰＬＬ回路５にＮ値を送信する。そして、ＰＬＬ回路５がＮ値に基づいて局部発信器４の発振周波数を変化させることにより、受信していた信号の周波数とは異なる周波数の信号を受信する。
【０００４】
この状態で、ＩＦアンプ６で増幅されたＩＦ信号は、Ｓメータ検出器８に入力され、ここでＩＦ信号の電界強度が検出される。また、ＩＦアンプ６で増幅されたＩＦ信号は、ＩＦカウンタ検出器９にも入力され、ここでＩＦ信号の周波数がカウントされる。
【０００５】
Ｓメータ検出器８の出力は制御器１０に入力され、ここで、ＩＦ信号の電界強度が所定のスレショルド値より大きいかどうか判断される。そして、ＩＦ信号の電界強度が所定のスレショルド値より大きい場合、ＩＦカウンタ検出器９の出力が制御器１０に入力され、ここで、ＩＦ信号の周波数が所定の範囲内にあるかどうか判断される。
【０００６】
そして、ＩＦ信号の周波数が所定の範囲内にある場合、制御器１０は、受信している信号に希望局の放送信号があると判断し、サーチを停止する。ＩＦ信号の電界強度があるスレショルド値より小さい場合や、ＩＦ信号の周波数が所定の範囲内にない場合は、次の周波数の信号を受信し、同様の処理を行う。
【０００７】
このように、従来のＡＭアナログラジオ放送を受信するラジオ受信機では、Ｓメータ検出器８およびＩＦカウンタ検出器９の出力を、サーチを停止するための判断材料としていた（例えば、特許文献１参照）。
【特許文献１】特開平８−２２２９９９号公報
【発明の開示】
【発明が解決しようとする課題】
【０００８】
近年、ラジオ放送でもデジタル化が進んでおり、地上波のデジタルラジオ放送として、ＨＤ（High Definition）ラジオが提案されている。
【０００９】
ＡＭバンドでのＨＤラジオ放送（ＭＡ１）の放送信号は、従来のアナログＡＭ変調信号の両外側領域にデジタル信号変調分が付加されている。このため、従来のＡＭアナログラジオ放送用のラジオ受信機でサーチすると、ＨＤラジオ変調（ＭＡ１）のキャリアの前後周波数において、デジタル変調信号（ＯＦＤＭ）に起因して、Ｓメータ検出器８の出力がスレショルド値より大きくなる場合がある。同様に、ＩＦカウンタ検出器９の出力が所定の範囲内となる場合がある。これにより、制御器１０が希望局ありと判断し、サーチを希望局の前後周波数で誤停止するという問題があった。
【００１０】
本発明は上記に鑑みてなされたもので、ＨＤラジオ放送波におけるデジタル変調信号に起因するサーチの誤停止を防止することができるラジオ受信機を提供することを目的とする。
【課題を解決するための手段】
【００１１】
本発明のラジオ受信機は、希望局の放送信号をサーチして受信するラジオ受信機であって、放送信号を受信して受信信号を生成する受信手段と、前記受信信号と高周波信号とを混合して中間周波数信号を生成する変換手段と、この変換手段で生成された前記中間周波数信号の電界強度を検出する電界強度検出手段と、前記変換手段で生成された前記中間周波数信号の周波数を検出する周波数検出手段と、前記変換手段で生成された前記中間周波数信号を検波して検波信号を生成する検波手段と、この検波手段で生成された前記検波信号のうち所定の周波数帯域の信号を通過させるバンドパスフィルタと、このバンドパスフィルタを通過した信号の強度を検出する信号強度検出手段と、前記電界強度検出手段で検出した電界強度が所定の電界強度より大きく、かつ前記周波数検出手段で検出した周波数が所定の周波数範囲内であり、かつ前記信号強度検出手段で検出した信号強度が所定の信号強度より小さいとき、前記受信手段で受信している信号に前記希望局の放送信号が含まれると判断してサーチを停止し、前記電界強度検出手段で検出した電界強度が前記所定の電界強度以下のとき、または前記周波数検出手段で検出した周波数が所定の前記周波数範囲外のとき、または前記信号強度検出手段で検出した信号強度が前記所定の信号強度以上のときは、前記受信手段で受信している信号に前記希望局の放送信号が含まれないと判断して前記変換手段で混合される高周波信号の周波数を変更することによりサーチを継続するように制御する制御手段とを備えることを特徴とする。
【００１２】
また、本発明のラジオ受信機は、ＨＤラジオ放送信号およびアナログラジオ放送信号から希望局の放送信号をサーチして受信するラジオ受信機であって、放送信号を受信して受信信号を生成する受信手段と、前記受信信号と高周波信号とを混合して中間周波数信号を生成する変換手段と、この変換手段で生成された前記中間周波数信号の電界強度を検出する電界強度検出手段と、前記変換手段で生成された前記中間周波数信号の周波数を検出する周波数検出手段と、前記変換手段で生成された前記中間周波数信号を検波して検波信号を生成する検波手段と、この検波手段で生成された前記検波信号のうち所定の第１の周波数帯域の信号を通過させる第１のバンドパスフィルタと、前記検波手段で生成された前記検波信号のうち、前記第１の周波数帯域よりも高い第２の周波数帯域の信号を通過させる第２のバンドパスフィルタと、前記第１のバンドパスフィルタを通過した信号の強度と、前記第２のバンドパスフィルタを通過した信号の強度とを検出する信号強度検出手段と、
前記電界強度検出手段で検出した電界強度と、前記周波数検出手段で検出した周波数と、前記信号強度検出手段で検出した信号強度とに基づいて、前記受信手段で受信している信号に前記希望局の放送信号が含まれるかどうかを判断し、前記希望局の放送信号が含まれると判断したときはサーチを停止し、前記希望局の放送信号が含まれないと判断したときは前記変換手段で混合される高周波信号の周波数を変更することによりサーチを継続するように制御する制御手段とを備え、前記制御手段は、前記希望局がＨＤラジオ放送局である場合、前記電界強度検出手段で検出した電界強度が所定の電界強度より大きく、かつ前記周波数検出手段で検出した周波数が所定の周波数範囲内であり、かつ前記第１のバンドパスフィルタを通過した信号の強度が所定の第１の信号強度より小さく、かつ前記第２のバンドパスフィルタを通過した信号の強度が所定の第２の信号強度より大きいとき、前記受信手段で受信している信号に前記希望局の放送信号が含まれると判断し、前記希望局がアナログラジオ放送局である場合、前記電界強度検出手段で検出した電界強度が前記所定の電界強度より大きく、かつ前記周波数検出手段で検出した周波数が前記所定の周波数範囲内であり、かつ前記第１のバンドパスフィルタを通過した信号の強度が前記所定の第１の信号強度より小さく、かつ前記第２のバンドパスフィルタを通過した信号の強度が前記所定の第２の信号強度以下のとき、前記受信手段で受信している信号に前記希望局の放送信号が含まれると判断することを特徴とする。
【発明の効果】
【００１３】
本発明のラジオ受信機は、中間周波数信号の電界強度と周波数に加えて、中間周波数信号の検波信号における所定の周波数帯域の信号強度に基づいて、希望局の放送周波数の信号を受信しているかどうかを判断するので、ＨＤラジオ放送波におけるＡＭアナログ変調信号とデジタル変調信号とを区別し、ＨＤラジオ放送波に起因するサーチの誤停止を防止することができる。
【発明を実施するための最良の形態】
【００１４】
以下、本発明のラジオ受信機を実施するための最良の形態について、図面を参照して説明する。
【００１５】
（第１の実施の形態）
図１は本発明の第１の実施の形態に係るラジオ受信機の構成を示すブロック図である。なお、図１１に示した従来のラジオ受信機と同一構成には同一符号を付している。
【００１６】
図１に示すように第１の実施の形態のラジオ受信機は、アンテナ１、ＲＦアンプ２、混合器３、局部発信器４、ＰＬＬ回路５、ＩＦアンプ６、ＩＦ検波器７、Ｓメータ検出器８、ＩＦカウンタ検出器９、制御器１０、バンドパスフィルタ（ＢＰＦ）１１、パワー検出器１２を備える。
【００１７】
アンテナ１は、放送信号を受信し、受信信号を出力する。ＲＦアンプ２は、アンテナ１からの受信信号を増幅する。
【００１８】
混合器３は、ＲＦアンプ２で増幅された受信信号と局部発信器４で生成される周波数変換用の高周波信号とを混合することにより、受信信号をＩＦ信号に変換する。
【００１９】
局部発信器４は、周波数変換用の高周波信号を生成し、混合器３に出力する。ＰＬＬ回路５は、制御器１０から入力されるＮ値に基づいて、局部発信器４の発振周波数を制御する。
【００２０】
ＩＦアンプ６は、混合器３で生成されたＩＦ信号を増幅する。ＩＦ検波器７は、ＩＦアンプ６で増幅されたＩＦ信号をＡＭ検波し、検波信号を出力する。
【００２１】
Ｓメータ検出器８は、ＩＦアンプ６で増幅されたＩＦ信号の電界強度を検出する。ＩＦカウンタ検出器９は、ＩＦアンプ６で増幅されたＩＦ信号の周波数をカウントする。
【００２２】
バンドパスフィルタ１１は、ＩＦ検波器７で生成された検波信号のうち、所定の周波数帯域の信号を通過させる。パワー検出器１２は、バンドパスフィルタ１１の出力信号の信号強度を検出する。
【００２３】
制御器１０は、サーチを行う際、Ｓメータ検出器８で検出した電界強度と、ＩＦカウンタ検出器９で検出した周波数と、パワー検出器１２で検出した信号強度とに基づいて、希望局の放送周波数の信号を受信しているかどうかを判断する。また、制御器１０は、外部からの選局指示に応じて、Ｎ値をＰＬＬ回路５に出力する。
【００２４】
次に、第１の実施の形態に係るラジオ受信機の動作を説明する。
【００２５】
アンテナ１は、放送信号を受信すると、受信信号をＲＦアンプ２に出力する。ＲＦアンプ２は、受信信号を増幅し、混合器３に出力する。
【００２６】
そして、混合器３は、増幅された受信信号と局部発信器４からの高周波信号とを混合してＩＦ信号に変換し、このＩＦ信号をＩＦアンプ６に出力する。ＩＦアンプ６は、混合器３で生成されたＩＦ信号を増幅してＩＦ検波器７とＳメータ検出器８とＩＦカウンタ検出器９とに出力する。そして、Ｓメータ検出器８はＩＦ信号の電界強度を検出し、ＩＦカウンタ検出器９はＩＦ信号の周波数をカウントする。
【００２７】
ＩＦ検波器７は、ＩＦ信号をＡＭ検波し、検波信号をバンドパスフィルタ１１およびオーディオセレクタ等に出力する。バンドパスフィルタ１１は、ＩＦ検波器７で生成された検波信号のうち、所定の周波数帯域の信号を通過させ、パワー検出器１２は、バンドパスフィルタ１１の出力信号の信号強度を検出する。
【００２８】
ここで、希望局のサーチを行う場合について、図２を参照して説明する。図２は図１に示すラジオ受信機におけるサーチの手順を示すフローチャートである。
【００２９】
まず、外部から希望局を示す選局指示が制御器１０に入力されると、ステップＳ１０において、制御器１０は、選局指示に基づいてＰＬＬ回路５にＮ値を送信する。そして、例えば、受信周波数からアップサーチする場合は、ＰＬＬ回路５が制御器１０からのＮ値に基づいて制御信号を局部発信器４に送信して局部発信器４の発振周波数を変化させることにより、受信していた信号の周波数の１つ上の周波数の信号を受信する。例えば、米国で１０００ｋＨｚを受信していた場合、米国では局間周波数は１０ｋＨｚなので、１つ上の周波数は１０１０ｋＨｚとなる。
【００３０】
そして、１０１０ｋＨｚを受信した状態で、ステップＳ２０では、制御器１０は、Ｓメータ検出器８の出力を読み出し、Ｓメータ検出器８で検出されたＩＦ信号の電界強度Ｘが、所定のスレショルド値Ａより大きいかどうかを判断する。Ｘ＞Ａである（ステップＳ２０：ＹＥＳ）の場合はステップＳ３０に進み、Ｘ＞Ａでない（ステップＳ２０：ＮＯ）場合はステップＳ１０に戻り、次の周波数１０２０ｋＨｚを受信し、以降の処理を繰り返す。
【００３１】
次いで、ステップＳ３０では、制御器１０は、ＩＦカウンタ検出器９の出力を読み出し、ＩＦカウンタ検出器９で検出されたＩＦ信号の周波数Ｙが所定の範囲内（ＢとＣとの間）にあるかどうかを判断する。所定の範囲としては、例えば、ＩＦ信号の基準周波数１０．７ＭＨｚを中心とする±３ｋＨｚの範囲とする。この場合、Ｂは１０．７ＭＨｚ＋３ｋＨｚ、Ｃは１０．７ＭＨｚ−３ｋＨｚとなる。Ｂ＞Ｙ＞Ｃである（ステップＳ３０：ＹＥＳ）場合はステップＳ４０に進む。Ｂ＞Ｙ＞Ｃでない（ステップＳ３０：ＮＯ）場合はステップＳ１０に戻り、次の周波数１０２０ｋＨｚを受信し、以降の処理を繰り返す。
【００３２】
そして、ステップＳ４０では、制御器１０は、パワー検出器１２の出力を読み出し、パワー検出器１２で検出されたバンドパスフィルタ１１の出力信号の信号強度Ｚが、所定のスレショルド値Ｄより小さいかどうかを判断する。Ｚ＜Ｄである（ステップＳ４０：ＹＥＳ）場合、制御器１０は、受信している信号に希望局の放送信号があると判断し、サーチを停止する。Ｚ＜Ｄでない（ステップＳ４０：ＮＯ）場合はステップＳ１０に戻り、次の周波数１０２０ｋＨｚを受信し、以降の処理を繰り返す。
【００３３】
ここで、図３にＡＭバンドでのＨＤラジオ変調（ＭＡ１：アナログＡＭ変調とデジタル変調のハイブリッド）スペクトラムの概略図を示す。図３に示すように、ＡＭバンドでのＨＤラジオ放送（ＭＡ１）の放送信号は、従来のアナログＡＭ変調信号（−５〜５ｋＨｚ）の両外側領域（−１５〜−５ｋＨｚ，５〜１５ｋＨｚ）にデジタル信号変調分が付加されている。
【００３４】
図３に示す放送信号を受信したときのＩＦ検波器７におけるＡＭ検波スペクトラムの概略図を図４に示す。また、図３に示す放送信号を１０ｋＨｚ隣接する周波数で受信したときのＩＦ検波器７におけるＡＭ検波スペクトラムの概略図を図５に示す。
【００３５】
一般に、ＡＭアナログ放送をＡＭ検波した信号を周波数軸で表すと、図４の０〜５ｋＨｚ付近の範囲に示されるように、周波数が高くなるにつれてパワーが減少する。
【００３６】
一方、デジタル変調（ＯＦＤＭ）信号は、周波数あたりのパワーが一定として考えることができるため、ＯＦＤＭ信号をＡＭ検波した信号を周波数軸で表すと、図５の０〜５ｋＨｚ付近の範囲に示されるように、単位周波数当たり一定値の復調波形が得られる。
【００３７】
図６にバンドパスフィルタ１１の特性の一例を示す。図６に示すように、バンドパスフィルタ１１の中心周波数を３．５ｋＨｚ、通過帯域を２〜５ｋＨｚとすると、上記の理由により、図５に示す検波信号がバンドパスフィルタ１１に入力されたときの出力信号強度は、図４に示す検波信号がバンドパスフィルタ１１に入力されたときの出力信号強度よりも大きくなる。
【００３８】
よって、ＡＭ検波信号をバンドパスフィルタ１１に入力し、その出力信号の信号強度を検出し、その信号強度Ｚを所定のスレショルド値Ｄと比較することにより、希望局を受信しているのか、あるいはＨＤラジオ変調キャリア周波数の±１０ｋＨｚ局を受信しているのかを判断することができる。
【００３９】
このように第１の実施の形態によれば、Ｓメータ検出器８とＩＦカウンタ検出器９の出力に加えて、バンドパスフィルタ１１の出力信号の信号強度に基づいて、希望局の放送周波数の信号を受信しているかどうかを判断するので、ＨＤラジオ放送波におけるＡＭアナログ変調信号とデジタル変調信号とを区別し、ＨＤラジオ放送波におけるデジタル変調信号に起因するサーチの誤停止を防止することができる。
【００４０】
なお、第１の実施の形態のラジオ受信機は、ＡＭアナログラジオ放送の選局サーチも良好に行えるので、第１の実施の形態のラジオ受信機をＡＭアナログラジオ放送・ＨＤラジオ放送兼用受信機としてもよい。
【００４１】
（第２の実施の形態）
図７は本発明の第２の実施の形態に係るラジオ受信機の構成を示すブロック図である。なお、図１に示す第１の実施の形態に係るラジオ受信機と重複する部分には、同一の符号を付して重複する部分の説明を省略する。
【００４２】
図７に示すように、第２の実施の形態に係るラジオ受信機は、第１の実施の形態に係るラジオ受信機に対し、バンドパスフィルタ１１をフィルタ部２０に置き換えた構成である。
【００４３】
フィルタ部２０は、バンドパスフィルタ２１，２２、スイッチ２３を備える。バンドパスフィルタ２１は、第１の実施の形態におけるバンドパスフィルタ１１と同様の中心周波数および帯域幅を有している。つまり、ＩＦ検波器７で生成された検波信号のうち、ＨＤラジオ放送（ＭＡ１）の放送信号を中心周波数で受信したときにおけるアナログＡＭ変調信号の検波信号を通過させるような中心周波数および帯域幅を有している。
【００４４】
バンドパスフィルタ２２は、ＩＦ検波器７で生成された検波信号のうち、ＨＤラジオ放送（ＭＡ１）の放送信号を中心周波数で受信したときにおけるＯＦＤＭ信号の検波信号を通過させるような中心周波数および帯域幅を有している。
【００４５】
スイッチ２３は端子２３ａ，２３ｂ，２３ｃを備え、制御器１０からの制御に基づいて端子２３ａ−２３ｂが接続されたときにはＩＦ検波器７とバンドパスフィルタ２１とが接続され、端子２３ａ−２３ｃが接続されたときにはＩＦ検波器７とバンドパスフィルタ２２とが接続される。
【００４６】
なお、フィルタ部２０は、ＩＩＲフィルタ、ＦＩＲフィルタ等のデジタルフィルタで実現することもできる。この場合、制御器１０から送信されるパラメータに基づいて、バンドパスフィルタの中心周波数および帯域幅が設定される。
【００４７】
次に、第２の実施の形態に係るラジオ受信機において希望局のサーチを行う手順について、図８を参照して説明する。図８は図７に示すラジオ受信機におけるサーチの手順を示すフローチャートである。
【００４８】
図８に示すフローチャートにおけるステップＳ１１０〜Ｓ１３０は、第１の実施の形態で説明した図２に示すフローチャートにおけるステップＳ１０〜Ｓ３０と同様であるため説明を省略する。
【００４９】
ステップＳ１４０において、制御器１０は、スイッチ２３の端子２３ａ−２３ｂを接続して、ＩＦ検波器７で生成された検波信号をバンドパスフィルタ２１に入力し、バンドパスフィルタ２１の出力信号の強度をパワー検出器１２で検出するように制御する。そして、制御器１０は、パワー検出器１２の出力を読み出し、パワー検出器１２で検出されたバンドパスフィルタ２１の出力信号の信号強度Ｚが、所定のスレショルド値Ｄより小さいかどうかを判断する。Ｚ＜Ｄである（ステップＳ１４０：ＹＥＳ）場合、ステップＳ１５０に進む。Ｚ＜Ｄでない（ステップＳ１４０：ＮＯ）場合はステップＳ１０に戻り、次の周波数１０２０ｋＨｚを受信し、以降の処理を繰り返す。
【００５０】
ステップＳ１４０では、第１の実施の形態で説明した図２に示すフローチャートにおけるステップＳ４０と同様に、ＨＤラジオ変調キャリア周波数の±１０ｋＨｚ局を受信しているのかどうかを判断することができる。これにより、サーチが希望局の前後周波数（±１０ｋＨｚ）で誤停止してしまうことを防止することができる。
【００５１】
次に、ステップＳ１５０において、制御器１０は、スイッチ２３の端子２３ａ−２３ｃを接続して、ＩＦ検波器７で生成された検波信号をバンドパスフィルタ２２に入力し、バンドパスフィルタ２２の出力信号の強度をパワー検出器１２で検出するように制御する。そして、制御器１０は、パワー検出器１２の出力を読み出し、パワー検出器１２で検出されたバンドパスフィルタ２２の出力信号の信号強度Ｚ´が、所定のスレショルド値Ｅより大きいかどうかを判断する。Ｚ´＞Ｅである（ステップＳ１５０：ＹＥＳ）場合、ステップＳ１６０に進み、Ｚ´＞Ｅでない（ステップＳ１５０：ＮＯ）場合、ステップＳ１７０に進む。
【００５２】
ここで、ＡＭアナログラジオ放送の放送信号を中心周波数で受信したときのＩＦ検波器７におけるＡＭ検波スペクトラムの概略図を図９に示す。一般的に、ＡＭアナログ放送をＡＭ検波した信号を周波数軸で表すと、周波数が高くなるにつれてパワーが減少する（ＡＭ検波信号は、音楽やナレーションなどのオーディオ信号であるため、一般的に高域のパワーが減少する。なお、図９は１ｋＨｚのＡＭ変調を検波した信号である。）。
【００５３】
一方、ＨＤラジオ放送（ＭＡ１）の放送信号を中心周波数で受信したときのＡＭ検波スペクトラムは図４に示すものである。これを図９と比較すると、ＭＡ１の放送信号に付加されているＯＦＤＭ信号を検波した５〜１５ｋＨｚ付近のパワーが大きい。
【００５４】
そこで、バンドパスフィルタ２２の中心周波数および帯域幅は、ＨＤラジオ放送（ＭＡ１）の放送信号を中心周波数で受信したときにおけるＯＦＤＭ信号の検波信号を通過させるように設定する。
【００５５】
図１０はバンドパスフィルタ２２の特性の一例を示す図である。図１０に示すように、例えばバンドパスフィルタ２２の中心周波数は６．５ｋＨｚ、通過帯域は５〜８ｋＨｚとする。この場合、上記の理由により、図４に示す検波信号がバンドパスフィルタ２２に入力されたときの出力信号強度は、図９に示す検波信号がバンドパスフィルタ２２に入力されたときの出力信号強度よりも大きくなる。
【００５６】
したがって、ＩＦ検波器７で生成された検波信号をバンドパスフィルタ２２に入力し、バンドパスフィルタ２２の出力信号の信号強度Ｚ´を所定のスレショルド値Ｅと比較して、信号強度Ｚ´がスレショルド値Ｅより大きいときはＨＤラジオ放送局の放送信号を受信していると判断することができる。
【００５７】
Ｚ´＞Ｅである（ステップＳ１５０：ＹＥＳ）場合、ステップＳ１６０において、制御器１０は、外部からの選局指示による希望局がＨＤラジオ放送局であるかどうかを判断する。希望局がＨＤラジオ放送局である（ステップＳ１６０：ＹＥＳ）場合、制御器１０は、受信している信号に希望局の放送信号があると判断し、サーチを停止する。希望局がＨＤラジオ放送局でない（ステップＳ１６０：ＮＯ）場合はステップＳ１０に戻り、次の周波数１０２０ｋＨｚを受信し、以降の処理を繰り返す。
【００５８】
Ｚ´＞Ｅでない（ステップＳ１５０：ＮＯ）場合、ステップＳ１７０において、制御器１０は、希望局がＡＭアナログラジオ放送局であるかどうかを判断する。希望局がアナログラジオ放送局である（ステップＳ１７０：ＹＥＳ）場合、制御器１０は、受信している信号に希望局の放送信号があると判断し、サーチを停止する。希望局がＡＭアナログラジオ放送局でない（ステップＳ１７０：ＮＯ）場合はステップＳ１０に戻り、次の周波数１０２０ｋＨｚを受信し、以降の処理を繰り返す。
【００５９】
このように第２の実施の形態によれば、第１の実施の形態のラジオ受信機に対して、バンドパスフィルタ２２の出力信号の信号強度に基づく判断を加えたので、ＨＤラジオ放送局の放送信号を受信しているかどうかの判断精度を高めることができ、ＨＤラジオ放送とＡＭアナログラジオ放送の両方について、選局サーチを良好に行うことができる。
【図面の簡単な説明】
【００６０】
【図１】本発明の第１の実施の形態に係るラジオ受信機の構成を示すブロック図である。
【図２】図１に示すラジオ受信機におけるサーチの手順を示すフローチャートである。
【図３】ＡＭバンドでのＨＤラジオ変調スペクトラムの概略図である。
【図４】図３に示す放送信号を受信したときのＡＭ検波スペクトラムの概略図である。
【図５】図３に示す放送信号を１０ｋＨｚ隣接する周波数で受信したときのＡＭ検波スペクトラムの概略図である。
【図６】図１に示すラジオ受信機におけるバンドパスフィルタの特性の一例を示す図である。
【図７】本発明の第２の実施の形態に係るラジオ受信機の構成を示すブロック図である。
【図８】図７に示すラジオ受信機におけるサーチの手順を示すフローチャートである。
【図９】ＡＭアナログラジオ放送の放送信号を中心周波数で受信したときのＡＭ検波スペクトラムの概略図である。
【図１０】図７に示すラジオ受信機におけるバンドパスフィルタ２２の特性の一例を示す図である。
【図１１】従来のＡＭアナログラジオ放送を受信するラジオ受信機の構成を示すブロック図である。
【符号の説明】
【００６１】
１    アンテナ
２    ＲＦアンプ
３    混合器
４    局部発信器
５    ＰＬＬ回路
６    ＩＦアンプ
７    ＩＦ検波器
８    Ｓメータ検出器
９    ＩＦカウンタ検出器
１０    制御器
１１，２１，２２    バンドパスフィルタ（ＢＰＦ）
１２    パワー検出器
２０    フィルタ部
２３    スイッチ
【図１】
2007259403.tif 000003
【図２】
2007259403.tif 000004
【図３】
2007259403.tif 000005
【図４】
2007259403.tif 000006
【図５】
2007259403.tif 000007
【図６】
2007259403.tif 000008
【図７】
2007259403.tif 000009
【図８】
2007259403.tif 000010
【図９】
2007259403.tif 000011
【図１０】
2007259403.tif 000012
【図１１】
2007259403.tif 000013